(57)【要約】【課題】本発明は、スプロケット係合孔からの土砂の出入りを制御したクロ−ラに係るものであり、外周側からの土砂の侵入を阻止し、内周側からの土砂の排出ができるというクロ−ラを提供するものである。【解決手段】無端状のゴム弾性体の長手方向に一定ピッチをもって芯金が埋設され、この芯金の外側を囲んでスチ−ルコ−ドが同時に埋設され、隣り合う芯金の間にスプロケット係合孔が設けられたクロ−ラであって、当該係合孔を外周側より覆うように癖付けされ、かつ、ゴム弾性体に直線状をもって一体化した蓋体を備えたことを特徴とするクロ−ラ。１‥クロ−ラ、２‥芯金、４‥スプロケットとの係合孔、５‥ラグ、１０‥蓋体、１１‥蓋体のクロ−ラとの一体部、１２‥傾斜スリット、ａ‥一体とされる辺。【選択図】図２
2006117064.tif 000002
【特許請求の範囲】
【請求項１】
無端状のゴム弾性体の長手方向に一定ピッチをもって芯金が埋設され、この芯金の外側を囲んでスチ−ルコ−ドが同時に埋設され、隣り合う芯金の間にスプロケット係合孔が設けられたクロ−ラであって、当該係合孔を外周側より覆うように癖付けされ、かつ、ゴム弾性体に直線状をもって一体化した蓋体を備えたことを特徴とするクロ−ラ。
【請求項２】
係合孔は外周側に向けて傾斜面或いは段部を有している請求項１記載のクロ−ラ。
【請求項３】
蓋体は係合孔の傾斜面或いは段部内に納まる外形とした請求項２記載のクロ−ラ。
【発明の詳細な説明】
【技術分野】
【０００１】
本発明は芯金入りクロ−ラの改良に関するものであり、スプロケット係合孔からの土砂の出入りを制御したクロ−ラに係るものである。
【背景技術】
【０００２】
通常のクロ−ラはクロ−ラの長手方向に一定ピッチをもって芯金が埋設され、これを外囲いしてスチ−ルコ−ドが同様に埋設されている。そして、隣り合う芯金間にはスプロケットとの係合孔が開けられ、駆動力の伝達に供されている。
【０００３】
かかるスプロケット係合孔によってクロ−ラは内外面が貫通する形状となっている。このため、スプロケット係合孔を通してクロ−ラの外側土砂が内側に侵入し、これを転輪等が踏み込んでクロ−ラの内周面を荒らし、クロ−ラのクラックやゴム欠けをもたらすという欠点が指摘されている。
【０００４】
このため、スプロケット係合孔を比較的厚い膜体で閉じてしまうことが提案され、或いは膜体にスリットを形成した技術がある（特許文献１、２）ている。これは一面で効果はあるが、かかるスプロケット係合孔は、一方でクロ−ラの内周面に入り込んだ土砂を外側に排出する役目ももっているが、この役目を果たすことができないという新たな問題点も指摘されている。
【特許文献１】特開２００４−２１６９３６号公報
【特許文献２】特開昭５６−８６８７１号公報
【０００５】
前者では、外周側からの土砂の侵入はないが、内周側にたまった土砂は排出されず、このままスプロケットとの係合が続けられ、歯飛び現象等の不具合が発生してしまう。
【０００６】
後者場合には、土砂の侵入が膜部のスリットから内周側に侵入することは避けられず、この土砂が今度は排出しにくいことから、転輪がこのまま踏み込み、クロ−ラの内周面にクラックの発生がもたらされてしまうことは避けられない。
【発明の開示】
【発明が解決しようとする課題】
【０００７】
本発明は、スプロケット係合孔からの土砂の出入りを制御したクロ−ラに係るものであり、外周側からの土砂の侵入を阻止し、内周側からの土砂の排出ができるというクロ−ラを提供するものである。
【課題を解決するための手段】
【０００８】
本発明は、無端状のゴム弾性体の長手方向に一定ピッチをもって芯金が埋設され、この芯金の外側を囲んでスチ−ルコ−ドが同時に埋設され、隣り合う芯金の間にスプロケット係合孔が設けられたクロ−ラであって、当該係合孔を外周側より覆うように癖付けされ、かつ、ゴム弾性体に直線状をもって一体化した蓋体を備えたことを特徴とするクロ−ラを提供するものである。
【発明の効果】
【０００９】
本発明は以上の通りであって、係合孔の外周側より蓋体を備えたものであり、外周側からの土砂の侵入が防止できるだけでなく、内周側からの土砂の排出は係合孔の中にこれが溜ると蓋体が自然に開いてこれを排出する機能を有するものであり、土砂の侵入によるクロ−ラ内周面の不都合を低減するものである。
【発明を実施するための最良の形態】
【００１０】
本発明による蓋体は通常は係合孔に接するように癖付けされており、これによって外周側からの土砂の侵入は極めて少なく、内周側の土砂による圧力がこの癖付け力よりも大きくなった場合に蓋体が開いて土砂が外周側に排出されるものである。この癖付けはゴムの加硫時に同時に癖付けされるものである。勿論、蓋体は係合孔内に嵌り込んでしまうものではなく、蓋の役目をするものであって、従って、係合孔の外周側の大きさよりも大きい形状を有しており、一般的には係合孔の一部又は周囲が外周側の形状を大きくするように外周側に向けて傾斜面或いは段部を有してなり、蓋体はこの傾斜面或いは段部内に納まる形状とされるのが好ましい。
【００１１】
又、蓋体は言ってみれば、逆止弁の如き挙動をするものであり、このため、ゴム弾性体に蓋体の一辺が一直線状をもって一体化され、蓋体が開放ができるようにされる必要がある。この一体化の方向はクロ−ラの前後方向でも左右方向でもいずれでも可能である。
【００１２】
尚、この蓋体はクロ−ラの成形時に一体に成形するものであって、ゴム弾性体と一直線状をもって一体化される部位を除いて成形の当初は係合孔が薄いゴム膜を介してこの蓋体によって塞がれ、使用時にこの膜が破れて蓋体の挙動ができるようになるものである。かかる薄いゴム膜はいわゆるモ−ルド成形工程によるバリと同様のものであり、土砂の圧力により容易に破断して蓋体としての本来の動きができることになる。
【００１３】
蓋体と係合孔との関係は係合孔の外周側より覆うものであり、係合孔を形成し、これを外周側より覆う形態のものでもよいが、簡便には蓋体は係合孔の一辺とのみ一体化され、他の辺とは開放可能とする形態が好ましい。
【実施例】
【００１４】
以下、本発明を図面をもって更に詳細に説明する。
図１は本発明のクロ−ラの第１例を示す内周側平面図であり、図２はその中央部の係合孔部における断面図である。図中、１はクロ−ラであり、２はクロ−ラ１の長手方向に一定のピッチをもって埋設された芯金であり、この芯金２を外周側より囲んでスチ−ルコ−ド３が同時に埋設されたものである。そして、芯金２、２間にはスプロケットとの係合孔４が形成されているものであり、本発明にあっては、この係合孔４を外側より覆う蓋体１０が備えられたものである。符号５は外周側に形成されたラグである。
【００１５】
蓋体１０はクロ−ラ１との間で係合孔４の一辺ａと一体１１に形成されたものであり、他の辺は係合孔４と分離した形態となっている。この例では蓋体１０は係合孔４とほぼ同位置に形成され、係合孔４のクロ−ラの外周側が広がるように傾斜するスリット１２が形成されている。この傾斜スリット１２によって蓋体１０は外周側には開放できるが、内周側には開放不可能な構造となっており、これによって外周側からの土砂はクロ−ラの内周側には侵入せず、一方、内周側に溜る土砂は蓋体１０が外周側に開放することによって排出できることとなったものである。
【００１６】
クロ−ラ１との一体化１１はこの例ではクロ−ラの長手方向の辺ａにて一体化されたが、図３の第２例で示すように幅方向の辺ａでもよく、又、傾斜スリット１２を段部１３とすることも可能である。
【００１７】
図４は第３例を示す図２と同様の図であり、この例では、係合孔４の外周側に蓋体１０が備えられた例である。土砂の侵入及び排出は前例と同様である。
【００１８】
図５は第４例を示すものであり、図１と同様の図である。図６はその拡大図である。この例では蓋体１０が縦又は横方向に二分割されたものであり、クロ−ラとはその長手方向又は幅方向の一辺ａにて一体化１１されており、他の辺は全て傾斜面又は段部等を介して開放されており、これによって外周側からの土砂は侵入せず、内周側の土砂のみが排出されるものである。
【産業上の利用可能性】
【００１９】
本発明は以上の通りであり、クロ−ラの内外周を貫くスプロケットとの係合孔の欠点を改良し、逆に内周側の土砂のみを排出可能としたものであり、クロ−ラの大小を問わず適用可能である。
【図面の簡単な説明】
【００２０】
【図１】図１は本発明のクロ−ラの第１例を示す内周側平面図である。
【図２】図２はその中央部の係合孔部における断面図である。
【図３】図３は本発明のクロ−ラの第２例の係合孔部における断面図である。
【図４】図４は本発明のクロ−ラの第３例の係合孔部における断面図である。
【図５】図５は本発明のクロ−ラの第４例の内周側平面図である。
【図６】図６は図５の一部拡大図である。
【符号の説明】
【００２１】
１‥クロ−ラ、
２‥芯金、
３‥スチ−ルコ−ド、
４‥スプロケットとの係合孔、
５‥ラグ、
１０‥蓋体、
１１‥蓋体のクロ−ラとの一体部、
１２‥傾斜スリット、
１３‥段部、
ａ‥一体とされる辺。
【図１】
2006117064.tif 000003
【図２】
2006117064.tif 000004
【図３】
2006117064.tif 000005
【図４】
2006117064.tif 000006
【図５】
2006117064.tif 000007
【図６】
2006117064.tif 000008